(57)【要約】【課題】撮影者が簡単に位置の校正を行うことが可能なシステムを構築し得るようになり、また、制御機器側で簡単に天体の軌跡を算出できるため、より正確な校正ができるシステムが供給できるデジタルカメラを提供することを目的とする。【解決手段】  撮影画面内の設定可能な所定範囲内の設定可能な所定輝度レベル以上の領域の中心位置の位置情報をすべて出力することを特徴とするデジタルカメラ。【選択図】        図１
2006093817.tif 000002
【特許請求の範囲】
【請求項１】
撮影画面内の設定可能な所定範囲内の設定可能な所定輝度レベル以上の領域の中心位置の位置情報をすべて出力することを特徴とするデジタルカメラ。
【請求項２】
請求項１において、位置情報と同時に、露光開始時刻、シャッタ秒時なども出力することを特徴とするデジタルカメラ。
【請求項３】
請求項１において、出力手段をシリアル通信ラインとすることを特徴とするデジタルカメラ。
【請求項４】
請求項３において、出力手段をＵＳＢとすることを特徴とするデジタルカメラ。
【請求項５】
請求項３において、出力手段をＩＥＥＥ１３９４とすることを特徴とするデジタルカメラ。
【請求項６】
ｍ秒間の露光を、ｎ秒間（ｍ＞ｎ）にわけてセンサからの読み出しを行い、それを加算することにより画像を得るデジタルカメラにおいて、
センサからの各読み出しごとの撮影画面内の設定可能な所定範囲内の設定可能な所定輝度レベル以上の領域の中心位置の位置情報を出力することを特徴とするデジタルカメラ。
【請求項７】
請求項６において、位置情報と同時に、露光開始時刻、シャッタ秒時なども出力することを特徴とするデジタルカメラ。
【請求項８】
請求項６において、出力手段をシリアル通信ラインとすることを特徴とするデジタルカメラ。
【請求項９】
請求項８において、出力手段をＵＳＢとすることを特徴とするデジタルカメラ。
【請求項１０】
請求項８において、出力手段をＩＥＥＥ１３９４とすることを特徴とするデジタルカメラ。
【発明の詳細な説明】
【技術分野】
【０００１】
本発明は画像入力装置の撮影画像内の被写体の位置情報の出力に関するものであり、特に、天体撮影に適したデジタルカメラに関するものである。
【背景技術】
【０００２】
従来、デジタルカメラを用いて天体撮影を行う場合、図３に示すような構成になる。
【０００３】
天体望遠鏡１１にデジタルカメラ１２をセットする。それぞれを制御するためのＰＣなどの制御機器１３に接続する。
【０００４】
次に天体望遠鏡の位置校正をするため、つまり、天体望遠鏡の視野を赤経赤緯などにあわせるため、撮影者が目で見て所定の天体を天体望遠鏡の視野の真ん中に配置し、その状態で制御機器を操作して、位置の校正を行っている。
【特許文献１】特開平１０−１５５１００号公報
【発明の開示】
【発明が解決しようとする課題】
【０００５】
しかしながら、上記従来例では、位置の校正が煩雑で、操作を間違えると天体望遠鏡の視野が大幅にずれるなどの問題があった。
【０００６】
本発明は、以上の点に着目して成されたもので、撮影者が簡単に位置の校正を行うことが可能なシステムを構築し得るようになり、また、制御機器側で簡単に天体の軌跡を算出できるため、より正確な校正ができるシステムが供給できるデジタルカメラを提供することを目的とする。
【課題を解決するための手段】
【０００７】
上記課題を解決するため、本発明は、撮影画面内の設定可能な所定範囲内の設定可能な所定輝度レベル以上の領域の中心位置の位置情報をすべて出力するデジタルカメラを供給することにより、制御装置に現在天体望遠鏡の視野がどこにあるかを知らせ、それにより撮影者が簡単に位置の校正を行うことが可能なシステムを構築し得るようにするものである。
【０００８】
また、さらにｍ秒間の露光を、ｎ秒間（ｍ＞ｎ）にわけてセンサからの読み出しを行い、それを加算することにより画像を得るデジタルカメラにおいて、センサからの各読み出しごとの撮影画面内の設定可能な所定範囲内の設定可能な所定輝度レベル以上の領域の中心位置の位置情報と露光開始時刻、露光秒時を出力することにより、制御機器側で簡単に天体の軌跡を算出できるため、より正確な校正ができるシステムが供給できる。
【発明の効果】
【０００９】
本発明によれば、撮影画面内の設定可能な所定範囲内の設定可能な所定輝度レベル以上の領域の中心位置の位置情報をすべて出力するデジタルカメラを供給することにより、制御装置に現在天体望遠鏡の視野がどこにあるかを知らせ、それにより撮影者が簡単に位置の校正を行うことが可能なシステムを構築し得るようになるという効果がある。
【００１０】
また、さらにｍ秒間の露光を、ｎ秒間（ｍ＞ｎ）にわけてセンサからの読み出しを行い、それを加算することにより画像を得るデジタルカメラにおいて、センサからの各読み出しごとの撮影画面内の設定可能な所定範囲内の設定可能な所定輝度レベル以上の領域の中心位置の位置情報と露光開始時刻、露光秒時を出力することにより、制御機器側で簡単に天体の軌跡を算出できるため、より正確な校正ができるシステムが供給できるという効果がある。
【発明を実施するための最良の形態】
【００１１】
以下本発明を実施するための最良の形態を、実施例により詳しく説明する。
【実施例１】
【００１２】
以下、図面を用いて本発明の第１実施例を詳細に説明する。
【００１３】
構成は従来例で示した図３と同じ構成である。
【００１４】
図１は本発明を実施した画像入力装置の撮影画面である。
設定可能な画面内の枠１の中に天体２〜５が撮影されている。図面中で白く示しているのは輝度レベルが設定可能な所定レベル以上の領域である。その所定値以上の輝度を持つ領域のｘ方向のｘ２Ｌとｘ２Ｈの中心をｘ２とする。
ｘ２＝（ｘ２Ｌ＋ｘ２Ｈ）／２
同様にｙ方向もｙ２Ｌとｙ２Ｈの中心をｙ２とする。
ｙ２＝（ｙ２Ｌ＋ｙ２Ｈ）／２
このように算出された天体２の中心位置を（ｘ２，ｙ２）とする。
同様の算出を行い、天体３〜５までの中心位置（ｘ３，ｙ３）、（ｘ４，ｙ４）、（ｘ５，ｙ５）を得る。
【００１５】
これらの位置情報をデジタルカメラから出力することにより、制御機器により簡単に天体望遠鏡の位置の校正ができる。
【００１６】
なお、この情報の出力手段としてＲＳ２３２ｃなどのシリアル信号ラインを用いれば、ほとんどの制御機器に接続可能となるため、本システムを容易に構築することができる。
【００１７】
また、出力手段としてＵＳＢを用いれば上記のシリアル信号ラインより高速にデータ転送可能となる。
【００１８】
また、出力手段としてＩＥＥＥ１３９４を用いれば、さらに高速のデータ転送が可能となる。
【実施例２】
【００１９】
以下、図面を用いて本発明の第２実施例を詳細に説明する。
【００２０】
構成は従来例で示した図３と同じ構成である。
【００２１】
第１実施例と同様の算出を行い、天体２〜５までの中心位置（ｘ２，ｙ２）、（ｘ３，ｙ３）、（ｘ４，ｙ４）、（ｘ５，ｙ５）を得る。
【００２２】
これらの情報からもっとも輝度レベルの高い天体２の絶対位置情報（ｘ２，ｙ２）とそれに対する、相対位置情報として（ｘ３ｓ，ｙ３ｓ）、（ｘ４ｓ，ｙ４ｓ）、（ｘ５ｓ，ｙ５ｓ）
ｘ３ｓ＝ｘ３−ｘ２
ｙ３ｓ＝ｙ３−ｙ２
ｘ４ｓ＝ｘ４−ｘ２
ｙ４ｓ＝ｙ４−ｙ２
ｘ５ｓ＝ｘ５−ｘ２
ｙ５ｓ＝ｙ５−ｙ２
を得る。
【００２３】
これらの位置情報をデジタルカメラから出力することにより、制御機器により、さらに簡単に、またより正確な天体望遠鏡の位置の校正ができる。
【００２４】
なお、この情報の出力手段として第１実施例と同様の構成が可能である。
【実施例３】
【００２５】
以下、図面を用いて本発明の第３実施例を詳細に説明する。
【００２６】
構成は従来例で示した図３と同じ構成である。
ｍ秒間の露光を、ｎ秒間（ｍ＞ｎ）にわけてセンサからの読み出しをｓ回行い、それらを加算することにより画像を得るデジタルカメラに用いる。
【００２７】
この場合、図２に示すように、センサからの各読み出しごとに、ｓ枚の撮影時間が異なる撮影画面を得ることが可能となる。
【００２８】
これらの撮影画面内の設定可能な所定範囲内の設定可能な所定輝度レベル以上の領域の中心位置の位置情報を第１実施例と同様の算出を行い、位置情報として、（ｘ２，ｙ２）１、（ｘ３，ｙ３）１、（ｘ４，ｙ４）１、（ｘ５，ｙ５）１、（ｘ２，ｙ２）２、（ｘ３，ｙ３）２、（ｘ４，ｙ４）２、（ｘ５，ｙ５）２・・・・（ｘ２，ｙ２）ｓ、（ｘ３，ｙ３）ｓ、（ｘ４，ｙ４）ｓ、（ｘ５，ｙ５）ｓの位置情報を得ることができる。
【００２９】
これらの位置情報をすべてデジタルカメラから出力することにより、制御機器において、それぞれ天体の軌跡を算出することが容易になる。
【００３０】
また、同時に露光開始時刻、露光時間を出力することにより、より正確に天体の軌跡を算出し、さらに正確な天体望遠鏡の構成システムを構築することが容易となる。
【００３１】
なお、この情報の出力手段として第１実施例と同様の構成が可能である。
【図面の簡単な説明】
【００３２】
【図１】本発明の第１実施例を実施した撮影画面の詳細図である。
【図２】本発明の第３実施例を実施した撮影画面の詳細図である。
【図３】本発明の従来の天体撮影を行う場合の構成図である。
【符号の説明】
【００３３】
１  設定可能な画面内の枠
２〜５  天体
１１  天体望遠鏡
１２  デジタルカメラ
１３  制御機器
【図３】
2006093817.tif 000003
【図１】
2006093817.tif 000004
【図２】
2006093817.tif 000005